(57)【要約】      （修正有）【課題】コストダウンを図ることができるとともに、同じ出力で光を発する投光部の長さを変えることができる照明器具を提供する。【解決手段】照明器具１０Ａは、電源部２１および発光部２２を収容する発光モジュール２０Ａを有しており、発光モジュール２０Ａに投光部３０を取り付けて使用する。投光部３０は、発光モジュール２０Ａに対して着脱可能に支持されるとともに、発光部２２の発光方向に沿って延びており、内部には光を反射する反射板３３を有する。このため、発光モジュール２０Ａの発光部２２から発せられた光は、反射板３３で反射して、所定の方向へ光を発する。投光部３０は、発光モジュール２０Ａに対して着脱可能で交換することができる。これにより、投光部３０の長さが異なる場合でも発光モジュール２０Ａを共通して用いることにより、コストダウンを図ることができる。また、出力が同じで、投光部３０の長さを変えることができる。【選択図】図３
2015076279.tif 000002
【特許請求の範囲】
【請求項１】
電源部および発光部を収容する発光モジュールと、
前記発光モジュールに対して着脱可能に支持されるとともに、前記発光部の発光方向に沿って延びる投光部と、を備え、
前記投光部は、前記発光方向に対して交差する方向に光を反射する反射板を有する照明器具。
【発明の詳細な説明】
【技術分野】
【０００１】
本発明は、発光部の長さが種々ある照明器具に関するものである。
【背景技術】
【０００２】
従来、照明器具には種々のものがあり、発光部の長さが異なる照明器具がある（例えば、非特許文献１参照）。
非特許文献１には、従来より一般的なシーリングライト（照明器具）が示されている。この照明器具では、全体長方形状の器具本体を有する。器具本体には、長手方向両端にソケットが対で設けられており、両ソケット間に、線状の光源である直管蛍光灯を装着する。ここでは、光源である直管蛍光灯は、長手方向の略全長にわたって光を発する投光部を有する。
従って、所望の長さの投光部（すなわち、光を発する部分）を得たい場合には、投光部の長さに応じた長さを有する直管蛍光灯を選択し、選択された直管蛍光灯を両ソケット間に装着することにより、所望の長さの投光部を得る。
【先行技術文献】
【非特許文献】
【０００３】
【非特許文献１】パナソニック株式会社、“蛍光灯シーリングライト(Hfインバータ)HH4473EP 商品概要｜照明その他｜Panasonic”、［online］、［平成25年10月8日検索］、インターネット<URL:http://ctlg.panasonic.jp/product/info.do?pg=04&hb=HH4473EP>
【発明の概要】
【発明が解決しようとする課題】
【０００４】
図７（Ａ）および図７（Ｂ）に示すように、ＬＥＤ光源１０１を用いた従来の照明器具１００においても、前述した非特許文献１に記載の照明器具と同様に、天井面１０２等に取り付けられる器具本体１０３を有する。
器具本体１０３は、内部に電源部１０４を収容し、器具本体１０３の前面（下面）の長手方向に沿ってＬＥＤ光源１０１が取り付けられ、ＬＥＤ光源１０１の前方（下方）を透光性カバー１０６で覆って、投光部１０５を形成している。
【０００５】
このため、投光部１０５の長さを変える場合には、器具本体１０３、ＬＥＤ光源１０１および透光性カバー１０６の長さを変える必要がある。
このため、投光部１０５の長さごとに器具本体等を製作しなければならず、コストアップを招いていた。
また、通常、投光部１０５の長さに対応して光の出力が異なるため、同じ光の出力で、光を発する投光部１０５の長さを変えることができず、同じ出力で投光部１０５の長さを変えたい場合には対応できないという問題があった。
【０００６】
本発明は、従来の問題を解決するためになされたもので、共通する器具本体を用いることにより、コストダウンを図ることができるとともに、同じ出力で光を発する投光部の長さを変えることができる照明器具を提供することを目的とする。
【課題を解決するための手段】
【０００７】
本発明の照明器具は、電源部および発光部を収容する発光モジュールと、前記発光モジュールに対して着脱可能に支持されるとともに、前記発光部の発光方向に沿って延びる投光部と、を備え、前記投光部は、前記発光方向に対して交差する方向に光を反射する反射板を有するものである。
【発明の効果】
【０００８】
本発明は、発光モジュールの発光部から発せられた光は、投光部に照射され、投光部の内部において反射板で反射して、所定の方向へ光を発する。また、投光部は、発光モジュールに対して着脱可能であるので、投光部を交換することができる。これにより、光を発する投光部の長さが異なる場合でも発光モジュールを共通して用いることができ、コストダウンを図ることができる。また、出力が同じで、投光部の長さを変えることができるという効果を有する照明器具を提供できる。
【図面の簡単な説明】
【０００９】
【図１】（Ａ）は本発明に係る第１実施形態の照明器具の正面図であり、（Ｂ）は（Ａ）中Ｂ方向から見た平面図
【図２】本発明に係る第１実施形態の照明器具の斜視図
【図３】図１（Ａ）中ＩＩ−ＩＩ位置の断面図
【図４】短い投光部を装着した状態の断面図
【図５】本発明に係る第２実施形態の照明器具の斜視図
【図６】本発明に係る第２実施形態の照明器具の断面図
【図７】（Ａ）はＬＥＤ光源を有する従来の照明器具の断面図であり、（Ｂ）は投光部の長さが短い従来の照明器具の断面図
【発明を実施するための形態】
【００１０】
（第１実施形態）
以下、本発明に係る第１実施形態の照明器具について、図面を用いて説明する。
図１（Ａ）、図１（Ｂ）および図２に示すように、第１実施形態の照明器具１０Ａは、壁面１１や天井面等に取り付けて用いることができる。
照明器具１０Ａは、矩形箱状の器具本体（発光モジュール）２０Ａと、器具本体２０Ａに着脱可能に支持される長い投光部３０（３０１）とを有する。器具本体２０Ａは、矩形断面の一面が壁面１１に直接あるいは間接的に取り付けられる。
なお、以下の説明においては、図１（Ｂ）中、右側を「前」、左側を「後」、壁面１１側を「上」、壁面１１と反対側を「下」として説明する。
【００１１】
図３に示すように、器具本体２０Ａは、内部に制御部を兼ねた電源部２１および発光部２２を収容している。
電源部２１は、商用電源に接続されて、電力の供給を受け、発光部２２に点灯電力を供給する。
発光部２２は、器具本体２０Ａに支持される放熱板２３を有し、放熱板２３にＣＯＢ（チップ・オン・ボード）タイプ等のＬＥＤパッケージ２４が取り付けられている。ＬＥＤパッケージ２４では、ＬＥＤ基板２４１にＬＥＤ２４２が実装されている。
従って、ＬＥＤ２４２が発する熱は、ＬＥＤ基板２４１を介して放熱板２３に伝達され、放熱される。あるいは、放熱板２３から器具本体２０Ａに伝達されて放熱される。
【００１２】
器具本体２０Ａにおける照射方向である前面２０１には、発光部２２をオン、オフするスイッチ２５および人感センサ２６が取り付けられている。スイッチ２５および人感センサ２６は、電源部２１に接続されており、ＬＥＤパッケージ２４への電力供給を制御する。
器具本体２０Ａにおける投光部３０側端部は開口（本体開口部２０２）しており、本体開口部２０２は、発光部２２よりも投光部３０側に、矩形枠状に突出している。器具本体２０Ａにおける本体開口部２０２の周囲には、投光部３０を取り付けるための取付ねじ２７が設けられている。
【００１３】
取付ねじ２７用のねじ孔は、器具本体２０Ａの四面に設けておき、器具本体２０Ａの取り付ける位置に応じて２個以上の取付ねじ２７を用いる。
例えば、ここでは天井の壁面１１に、下方に向けて光を照射するように器具本体２０Ａを取り付けているため、器具本体２０Ａの壁面１１に対向する面には、取付ねじ２７は取り付け難い。従って、天井等の壁面１１に対向する面を除いた少なくとも２面に取付ねじ２７を取り付ける。
【００１４】
投光部３０１（３０）は、照射方向前方および長手方向一端面が開口した矩形箱状の基台３１と、基台３１の照射方向前側に一体的に取り付けられた投光カバー３２を有する。基台３１および投光カバー３２で形成される矩形箱状の投光部３０の断面は、少なくとも器具本体２０Ａ側の断面が、器具本体２０Ａの本体開口部２０２に内嵌可能な形状となっている。
基台３１は、例えば板金で形成されており、内部が見えないようになっている。基台３１の内部には、反射板３３が取り付けられている。反射板３３は、器具本体２０Ａ側が基台３１のベース３１１に接続され、先端側が、基台３１の前端に接続されて傾斜しており、前面が反射面３３１となっている。
【００１５】
これにより、発光部２２のＬＥＤ２４２から発せられた光は、反射面３３１で反射して、発光方向に対して交差する方向、すなわち、前方へ照射される。
なお、投光部３０が長い場合には、投光部３０の途中や先端を、支持部材３４で支持するのが望ましい。
【００１６】
図４には、長い投光部３０１に変えて、短い投光部３０２を装着した状態が示されている。
投光部３０の交換は、取付ねじ２７を外して長い投光部３０１を器具本体２０Ａから引き抜き、短い投光部３０２の先端を器具本体２０Ａの本体開口部２０２に挿嵌して、取付ねじ２７を締める。
そして、支持部材３４を用いる場合には、支持部材３４を取り付ける。
【００１７】
次に、第１実施形態の照明器具の作用効果について説明する。
照明器具１０Ａは、電源部２１および発光部２２を収容する器具本体２０Ａを有しており、器具本体２０Ａに投光部３０を取り付けて使用する。
投光部３０は、器具本体２０Ａに対して着脱可能に支持されるとともに、発光部２２の発光方向に沿って延びており、内部には、発光方向に対して交差する方向に光を反射する反射板３３を有する。
【００１８】
このため、器具本体２０Ａの発光部２２から発せられた光は、投光部３０に照射され、投光部３０の内部において反射板３３で反射して、所定の方向へ光を発する。
また、投光部３０は、器具本体２０Ａに対して着脱可能であるので、投光部３０を容易に交換することができる。
これにより、光を発する投光部３０の長さが異なる場合でも、器具本体２０Ａを共通して用いることにより、コストダウンを図ることができる。
また、出力が同じで、投光部３０の長さを変えることができる。
さらに、現場においても、容易に、投光部３０の長さを変えることができる。
【００１９】
（第２実施形態）
次に、第２実施形態の照明器具について、図面を用いて説明する。
なお、前述した第１実施形態の照明器具１０Ａと共通する部位には同じ符号を付して、重複する説明を省略することとする。
図５および図６に示すように、第２実施形態の照明器具１０Ｂでは、全体Ｌ字形状をした器具本体２０Ｂの内面２０３に、投光部３０を取付ねじ２７で取り付ける。
なお、スイッチ２５および人感センサ２６は、器具本体２０Ｂの下面２０４に設けられている。
【００２０】
このように構成しても、前述した第１実施形態の照明器具１０Ａと同様に、同じ器具本体２０Ｂに、長さの異なる投光部３０を装着できるので、コストダウンを図ることができる。
また、同じ出力で光を発する投光部３０の長さを変えることができる。
さらに、現場においても、容易に、投光部３０の長さを変えることができる。
【００２１】
本発明の照明器具は、前述した各実施形態に限定されるものでなく、適宜な変形、改良等が可能である。
例えば、前述した各実施形態においては、壁面１１に取り付けて前方へ光を照射する場合について説明したが、照明器具１０Ａ、１０Ｂを壁面１１に取り付けて、下方に光を照射することも可能である。
また、天井面等に照明器具１０Ａ、１０Ｂを取り付けて、下方を照明することも可能である。
【符号の説明】
【００２２】
１０Ａ、１０Ｂ  照明器具
２０Ａ、２０Ｂ  器具本体（発光モジュール）
２１  電源部
２２  発光部
３０、３０１、３０２  投光部
３３  反射板
【図１】
2015076279.tif 000003
【図２】
2015076279.tif 000004
【図３】
2015076279.tif 000005
【図４】
2015076279.tif 000006
【図５】
2015076279.tif 000007
【図６】
2015076279.tif 000008
【図７】
2015076279.tif 000009